(57)【要約】本発明は、入光レンズから流入される光を伝達され、色相によって電流を発生させる光感知部と、光感知部から発生された第１電流を測定する第１測定部を含むメイン感知ユニット、メイン感知ユニットに接するように配置されて光を遮断し、暗い状態で電流を発生させるダーク感知部と、ダーク感知部から発生された第２電流を測定する第２測定部を含むサブ感知ユニット、第２測定部に備えられて既設定された設定電流が充電される充電部を含み、充電部から漏洩される第３電流を測定する漏洩測定ユニット及びサブ感知ユニットで測定された第２電流と、漏洩測定ユニットで測定された第３電流を反映して第１電流を補正する制御ユニットを含み、充電部はメイン感知ユニットとサブ感知ユニットが光を受けて第１電流が発生される時間の変化によって充電された電流が減少して第３電流が漏洩されることを特徴とする、色差計モジュール及びこれを利用した色相計測器を開示する。
2016515217.tif 000002
【特許請求の範囲】
【請求項１】
内部に受光空間が形成されたケース；
上記ケースの一側から内部方向へ複数個のレンズが連続的に配置されて構成され、測定対象物から光が出射される領域に配置され、出射された光を内部へ伝達する入光レンズモジュール；及び
入光レンズから流入される光を伝達され、色相によって電流を発生させる光感知部と、上記光感知部から発生された第１電流を測定する第１測定部を含むメイン感知ユニット、上記メイン感知ユニットに接するように配置されて光を遮断し、暗い状態で電流を発生させるダーク感知部と、上記ダーク感知部から発生された第２電流を測定する第２測定部を含むサブ感知ユニット、上記第２測定部に備えられて既設定された設定電流が充電される充電部を含み、上記充電部で漏洩される第３電流を測定する漏洩測定ユニット及び上記サブ感知ユニットで測定された上記第２電流と、上記漏洩測定ユニットで測定された上記第３電流を反映して上記第１電流を補正する制御ユニットを含む色差計モジュールを含み、
上記充電部は、上記メイン感知ユニットと上記サブ感知ユニットが光を受けて上記第１電流が発生される時間の間、充電された電流が減少して上記第３電流が漏洩される
ことを特徴とする色相計測器。
【請求項２】
上記漏洩測定ユニットは、
上記入光レンズから光を伝達されて色相を計測する間、上記充電部に充電された上記設定電流から上記第３電流が漏洩され、
色相の計測が終わった後、上記充電部に残っている残留電流が全て除去され、
再び上記充電部に上記設定電流が充電される
ことを特徴とする、請求項１に記載の色相計測器。
【請求項３】
上記漏洩測定ユニットは、
上記設定電流と上記残留電流の差を測定し、漏洩された上記第３電流の量を感知する
ことを特徴とする、請求項２に記載の色相計測器。
【請求項４】
上記第１測定部は、
上記第２測定部と同一な形態の漏洩測定ユニットを含む
ことを特徴とする、請求項１に記載の色相計測器。
【請求項５】
上記サブ感知ユニットは、
上記メイン感知ユニットが外部要因によって影響を受けることと同じ条件の影響を受ける
ことを特徴とする、請求項１に記載の色相計測器。
【請求項６】
上記メイン感知ユニットは、
少なくとも三つ以上の光感知部を備え、それぞれが相互に異なる波長の光を感知するように構成される、請求項１に記載の色相計測器。
【請求項７】
上記色差計モジュールは、
上記メイン感知ユニットの前方に配置され、上記メイン感知ユニットと連通されて入射される光を上記メイン感知ユニットへ伝達する連通口を含むコネクター；及び
上記連通口の内部に備えられ、入射される光の中で、特定波長の光だけを透過させるカラーフィルターを含み、
それぞれの上記光感知部に入射される光が相互に異なる波長を持つようにするフィルタリングユニットをさらに含む、請求項６に記載の色相計測器。
【請求項８】
上記入光レンズモジュールと上記色差計モジュールの間に備えられ、上記入光レンズモジュールから入射された光を分配して上記色差計モジュールへ伝達する光分配モジュールをさらに含むことを特徴とする、請求項６に記載の色差計モジュールを利用した色相計測器。
【請求項９】
入光レンズから流入される光を伝達され、色相によって電流を発生させる光感知部と、上記光感知部から発生された第１電流を測定する第１測定部を含むメイン感知ユニット；
上記メイン感知ユニットに接するように配置されて光を遮断し、暗い状態で電流を発生させるダーク感知部と、上記ダーク感知部から発生された第２電流を測定する第２測定部を含むサブ感知ユニット；
上記第２測定部に備えられて既設定された設定電流が充電される充電部を含み、上記充電部から漏洩される第３電流を測定する漏洩測定ユニット；及び
上記サブ感知ユニットで測定された上記第２電流と上記漏洩測定ユニットで測定された上記第３電流を反映して上記第１電流を補正する制御ユニットを含み；
上記充電部は、上記メイン感知ユニットと上記サブ感知ユニットが光を受けて上記第１電流が発生される時間の変化によって充電された電流が減少し、上記第３電流が漏洩されることを特徴とする色差計モジュール。
【請求項１０】
上記漏洩測定ユニットは、
上記入光レンズから光を伝達され、上記第１測定部で上記第１電流を測定する間、上記充電部に充電された上記設定電流から上記第３電流が漏洩される第１測定過程；及び
上記第１過程が終わった後、上記充電部に残っている残留電流が全て除去される第２測定過程；
を経て漏洩される上記第３電流を測定する
ことを特徴とする、請求項９に記載の色差計モジュール。
【請求項１１】
上記漏洩測定ユニットは、
上記設定電流と上記残留電流の差を測定して漏洩された上記第３電流を測定することを特徴とする、請求項１０に記載の色差計モジュール。
【請求項１２】
上記第３電流は、下記[計算式１]によって導出されることを特徴とする、請求項１０に記載の色差計モジュール。
［計算式１］
ＤΔ＝Ｄｃ−Ｄｄ
(ＤΔ＝第３電流、Ｄｃ＝設定電流、Ｄｄ＝残留電流)
【請求項１３】
上記制御ユニットは、
上記第２電流と上記第３電流を利用して上記第１電流を補正し、補正された上記第１電流を通じて上記入光レンズから上記メイン感知ユニットに入射された光の色相を測定する
ことを特徴とする、請求項９に記載の色差計モジュール。
【請求項１４】
上記制御ユニットは、
下記[計算式２]によって上記第１電流を補正し、上記メイン感知ユニットに入射された光の色相を測定する
ことを特徴とする、請求項９に記載の色差計モジュール。
[計算式２]
Ａ`＝Ａ−Ａｄ−ＤΔ
(Ａ`＝補正された第１電流、Ａ＝第１電流、Ａｄ＝第２電流、ＤΔ＝第３電流)
【請求項１５】
上記第１測定部は、
上記第２測定部に備えられた同一な形態の上記漏洩測定ユニットが備えられる
ことを特徴とする、請求項９に記載の色差計モジュール。
【請求項１６】
上記サブ感知ユニットは、
上記メイン感知ユニットが外部要因によって影響を受けることと同じ条件の影響を受ける
ことを特徴とする、請求項９に記載の色差計モジュール。
【請求項１７】
上記メイン感知ユニットは、
少なくとも三つ以上の第１測定部を備えて、それぞれが相互に異なる波長の光を感知するように構成される、請求項９に記載の色差計モジュール。
【請求項１８】
上記メイン感知ユニットの前方に備えられ、それぞれの上記光感知部に入射される光が相互に異なる波長を持つようにする別途のフィルタリングユニットをさらに含む、請求項９に記載の色差計モジュール。
【請求項１９】
上記フィルタリングユニットは、
上記メイン感知ユニットの前方に配置され、上記メイン感知ユニットと連通されて入射される光を上記メイン感知ユニットへ伝達する連通口を含むコネクター；及び
上記連通口の内部に備えられて入射される光の中で、特定波長の光だけを透過させるカラーフィルター；
を含む、請求項１８に記載の色差計モジュール。
【発明の詳細な説明】
【技術分野】
【０００１】
本発明は色相計測器に関するものであって、カラーディスプレーパネルの色彩に対する特性を正確に測定するため、露光時間の間、環境要因の変化によって発生される誤差を減らすことができる色差計モジュール及びこれを利用した色相計測器に関するものである。
【背景技術】
【０００２】
現在、全世界のモニター市場はＣＲＴからＬＣＤモニターへ、ＬＣＤからＬＥＤモニターへと急速に変化している。特に、大型ＬＥＤモニターの需要が増加することにつれ、生産量が急激に増えている。
【０００３】
このように、ディスプレーの生産量が増加することにつれ、生産品質も重要な要因の一つとして作用し、これに対する不良の可否を判断する装置が開発されてきた。特に、ＬＣＤやＬＥＤなどのディスプレーで表れる色が実際に出力しようとする色をよく表したのかに対して測定する色差計が開発された。
【０００４】
一般的な色差計は光感知部で構成された感知センサーを通じて入射される光の色相を測定するように構成されているが、光感知部の特性上、外部環境要因の変化によって検出される数値が変化する。
【０００５】
このような問題点を解決するために、従来においては色差計を使用する直前に零点を随時調節して使用した。
【０００６】
特に、従来においては正確な測定値のために、測定環境で必ず入射される光を完全に遮断した後、零点を調節しなければならなかった。
【０００７】
具体的には、図１に図示されたように、従来の色相計測器は、暗いカバーまたは底面に接触して光が内部へ入射されないようにし、このような状態で零点を調節した。そして、このように零点を調節した後、測定対象から発生される光の色相を計測する。
【０００８】
しかし、このような方法によって零点を調節する場合、色相を測定する時、常に零点を随時調節しなければならない不便さがあった。
【０００９】
それだけでなく、零点調節の後、色相が計測される間、温度や湿度変化によって測定される値が変化して正確性が落ちる問題点があった。特に、色相計測器に基本的に適用される回路から漏洩される電流が外部環境要因の変化によって大きく変化するので、色相計測が正確ではなかった。
【００１０】
また、従来同様の方法で零点調節を行う場合、生産現場で随時零点調節をしなければならないので、生産性が低下する問題点もある。
【発明の概要】
【発明が解決しようとする課題】
【００１１】
本発明の目的は、従来の色相計測器の問題点を解決することにあって、内部にメイン感知ユニットとは別途に、暗い状態で感知される信号を測定する別途のサブ感知ユニットを備えて、測定される光の色相を正確に測定することができる色差計モジュール及びこれを利用した色相計測器を提供することにある。
【課題を解決するための手段】
【００１２】
上記課題を解決するために、本発明の一側面による色相計測器は、内部に受光空間が形成されたケース、上記ケースの一側から内部方向へ複数個のレンズが連続的に配置されて構成され、測定対象物から光が出射される領域に配置され、出射された光を内部へ伝達する入光レンズモジュール及び入光レンズから流入される光を伝達され、色相によって電流を発生させる光感知部と、上記光感知部から発生された第１電流を測定する第１測定部を含むメイン感知ユニット、上記メイン感知ユニットに接するように配置されて光を遮断し、暗い状態で電流を発生させるダーク感知部と、上記ダーク感知部から発生された第２電流を測定する第２測定部を含むサブ感知ユニット、上記第２測定部に備えられて既設定された設定電流が充電される充電部を含み、上記充電部から漏洩される第３電流を測定する漏洩測定ユニット及び上記サブ感知ユニットで測定された上記第２電流と、上記漏洩測定ユニットで測定された上記第３電流を反映して上記第１電流を補正する制御ユニットを含む色差計モジュールを含み、上記充電部は、上記メイン感知ユニットが光を受けて上記第１電流が発生される時間の間、充電された電流が減少して上記第３電流が漏洩されることを特徴とする。
【００１３】
また、上記漏洩測定ユニットは、上記入光レンズから光が伝達されて色相を計測する間、上記充電部に充電された上記設定電流から上記第３電流が漏洩され、色相の計測が終わった後、上記充電部に残っている残留電流が全て除去され、再び上記充電部に上記設定電流が充電されることを特徴とする。
【００１４】
ここで、上記漏洩測定ユニットは、上記設定電流と上記残留電流の差を測定し、漏洩された上記第３電流の量を感知することを特徴とする。
【００１５】
また、上記第１測定部は、上記第２測定部と同一な形態の漏洩測定ユニットを含むことを特徴とする。
【００１６】
また、上記サブ感知ユニットは、上記メイン感知ユニットが外部要因によって影響を受けることと同じ条件の影響を受けることを特徴とする。
【００１７】
また、上記メイン感知ユニットは、少なくとも三つ以上の光感知部を備え、それぞれが相互に異なる波長の光を感知できるように構成されることがある。
【００１８】
ここで、上記色差計モジュールは、上記メイン感知ユニットの前方に配置され、上記メイン感知ユニットと連通されて入射される光を上記メイン感知ユニットへ伝達する連通口を含むコネクター及び上記連通口の内部に備えられて入射される光の中で、特定波長の光だけを透過させるカラーフィルターを含み、それぞれの上記光感知部に入射される光が互いに異なる波長を持つようにするフィルタリングユニットをさらに含むことを特徴とする。
【００１９】
また、上記入光レンズモジュールと上記色差計モジュールの間に備えられ、上記入光レンズモジュールから入射された光を分配して上記色差計モジュールへ伝達する光分配モジュールをさらに含むことを特徴とする。
【００２０】
本発明の他の側面による色差計モジュールは、入光レンズから流入される光を伝達され、色相によって電流を発生させる光感知部と、上記光感知部から発生された第１電流を測定する第１測定部を含むメイン感知ユニット、上記メイン感知ユニットに接するように配置されて光を遮断し、暗い状態で電流を発生させるダーク感知部と、上記ダーク感知部から発生された第２電流を測定する第２測定部を含むサブ感知ユニット、上記第２測定部に備えられて既設定された設定電流が充電される充電部を含み、上記充電部から漏洩される第３電流を測定する漏洩測定ユニット及び上記サブ感知ユニットで測定された上記第２電流と上記漏洩測定ユニットで測定された上記第３電流を反映して上記第１電流を補正する制御ユニットを含み、上記充電部は、上記メイン感知ユニットと上記サブ感知ユニットが光を受けて電流が発生される時間の変化によって充電された電流が減少し、上記第３電流が漏洩されることを特徴とする。
【００２１】
ここで、上記漏洩測定ユニットは、上記入光レンズから光を伝達され、上記第１測定部で上記第１電流を測定する間、上記充電部に充電された上記設定電流から上記第３電流が漏洩される第１測定過程及び上記第１過程が終わった後、上記充電部に残っている残留電流が全て除去される第２測定過程を経て漏洩される上記第３電流を測定することを特徴とする。
【００２２】
また、上記漏洩測定ユニットは、上記設定電流と上記残留電流の差を測定して漏洩された上記第３電流を測定することを特徴とする。
【００２３】
また、上記第３電流は、下記［計算式１］によって導出されることを特徴とする。
［計算式１］
ＤΔ＝Ｄｃ−Ｄｄ
(ＤΔ＝第３電流、Ｄｃ＝設定電流、Ｄｄ＝残留電流)
【００２４】
また、上記制御ユニットは、上記第２電流と上記第３電流を利用して上記第１電流を補正し、補正された上記第１電流を通じて上記入光レンズから上記メイン感知ユニットに入射された光の色相を測定することを特徴とする。
【００２５】
また、上記制御ユニットは、下記［計算式２］によって上記第１電流を補正し、上記メイン感知ユニットに入射された光の色相を測定することを特徴とする。
［計算式２］
Ａ`＝Ａ−Ａｄ−ＤΔ
(Ａ`＝補正された第１電流、Ａ＝第１電流、Ａｄ=第２電流、ＤΔ＝第３電流)
【００２６】
また、上記第１測定部は、上記第２測定部に備えられた同一な形態の上記漏洩測定ユニットが備えられることを特徴とする。
【００２７】
また、上記サブ感知ユニットは、上記メイン感知ユニットが外部要因によって影響を受けることと同じ条件の影響を受けることを特徴とする。
【００２８】
また、上記メイン感知ユニットは、少なくとも三つ以上の第１測定部を備えて、それぞれが相互に異なる波長の光を感知できるように構成されることがある。
【００２９】
また、上記メイン感知ユニットの前方に備えられ、それぞれの上記光感知部に入射される光が相互に異なる波長を持つようにする別途のフィルタリングユニットをさらに含むことができる。
【００３０】
また、上記フィルタリングユニットは、上記メイン感知ユニットの前方に配置され、上記メイン感知ユニットと連通されて入射される光を上記メイン感知ユニットへ伝達する連通口を含むコネクター、及び上記連通口の内部に備えられて入射される光の中で、特定波長の光だけを透過させるカラーフィルターを含むことを特徴とする。
【発明の効果】
【００３１】
上記問題点を解決するため、本発明によると次のような効果がある。
【００３２】
第一、色相計測器において、入射される光によって発生される第１電流を測定するメイン感知ユニットと共に、暗い状態で発生される第２電流を測定するサブ感知ユニットを備えることで、別途の零点調節過程を経なくても、感知される第１電流と第２電流の相対的比較を通じて正確な色相を計測することができる効果がある。
【００３３】
第二、メイン感知ユニットとサブ感知ユニットのそれぞれに同一構造の漏洩測定ユニットを備え、漏洩測定ユニットがサブ感知ユニットから漏洩される第３電流を測定して第１電流を補正することで、第１電流から漏洩された電流量を除去してメイン感知ユニットに入射された光の色相を正確に計測することができる効果がある。
【００３４】
第三、別途に零点調節をせずに、メイン感知ユニットとサブ感知ユニットが同時に第１電流と第２電流を測定するので、時間差によって検出される値が変化せず、計測される色相の正確度及び信頼性が増加する効果がある。
【００３５】
本発明の効果は、上記言及した効果に制限されず、言及されなかった他の効果は請求範囲の記載から当業者が明確に理解することができる。
【図面の簡単な説明】
【００３６】
【図１】従来使われた色相計測器の構成を概略的に示した図面。
【図２】本発明の実施例による色相計測器を使う状態を示した図面。
【図３】図２の色相計測器の外形を示した図面。
【図４】図２の色相計測器の内部構成を示した図面。
【図５】図２の色相計測器で色差計モジュールが光を感知する状態を示した図面。
【図６】図２の色相計測器でメイン感知ユニットとサブ感知ユニットにそれぞれ設けられた漏洩測定ユニットの構成を示した図面。
【図７】図６のメイン感知ユニットで感知された刺激値が外部要因の変化によって発生される漏洩電流によって変化する状態を示したグラフ。
【図８】図７の実験のために、時間による外部条件の変化を示したグラフ。
【図９】図６の漏洩測定ユニットで漏洩電流を測定する過程を示したフローチャート。
【図１０】図６のメイン感知ユニットに光が入射されて検出された刺激値を補正する過程を示したフローチャート。
【図１１】図２の色差計モジュールにおいて、メイン感知ユニット、サブ感知ユニット及び漏洩測定ユニットでそれぞれ感知された電流によって発生された刺激値を示したグラフ。
【図１２】図１１の感知された信号を制御ユニットで補正して示した刺激値のグラフ。
【発明を実施するための形態】
【００３７】
このように構成された本発明による色差計モジュール及びこれを利用した色相計測器の好ましい実施例を添付された図面を通じて説明する。しかし、これは本発明を特定形態に限定しようとすることではなく、本実施例を通じてより明確な理解を助けるためである。
【００３８】
また、本実施例を説明するに当たり、同一構成に対しては同一名称及び同一符号が使用され、これによる付加的説明は省略する。
【００３９】
先ず、図２〜図６を参照して本発明の実施例による色相計測器について見ると、次の通りである。
【００４０】
図２は本発明の実施例による色相計測器を使用する状態を示した図面であり、図３は図２の色相計測器の外形を示した図面であり、図４は図２の色相計測器の内部構成を示した図面である。
【００４１】
図５は図２の色相計測器で色差計モジュールが光を感知する状態を示した図面であり、図６は図２の色相計測器でメイン感知ユニットとサブ感知ユニットにそれぞれ設けられた漏洩測定ユニットの構成を示した図面である。
【００４２】
図示されたように、本発明の実施例による色相計測器１００の構成は、大きくケース３００、入光レンズモジュール２００、色差計モジュール４００、及び光分配モジュール５００から構成される。
【００４３】
上記ケース３００は、全体を包んで内部に受光空間が形成され、一側に上記入光レンズモジュール２００が配置される。そして、内部に光分配モジュール５００及び色差計モジュール４００が配置され、各々は別途分離されて備えられる。
【００４４】
本実施例において、上記ケース３００の内部には、入光レンズモジュール２００と接するように配置された円筒形態の光分配モジュール５００及び色差計モジュール４００が備えられる。
【００４５】
上記入光レンズモジュール２００は、上記ケース３００の一側で測定対象物Ｄから光が出射される領域に配置され、出射された光を内部へ伝達する。
【００４６】
ここで、上記入光レンズモジュール２００は、複数個の相互に異なるレンズが連続的に配置された形態に形成されることで、上記測定対象物Ｄから出射される光を集光して上記ケース３００の内部へ伝達する。
【００４７】
光分配モジュール５００は、上記入光レンズモジュール２００と上記色差計モジュール４００の間に備えられ、上記入光レンズモジュール２００から入射された光を分配して上記色差計モジュール４００へ伝達する。
【００４８】
この時、本実施例では、図示されたように、色を測定する時に三刺激値を利用して色相を計測するが、これに限定されず多様な形態に構成することもできる。
【００４９】
これによって、上記光分配モジュール５００は、入射された光と同一な波長及び強さを持つ光を分割して色差計モジュール４００へ伝達し、伝達された光は別途のカラーフィルター(４３４：図５参照)によって三つの光感知部４１２のそれぞれに相互に異なる波長を持ちながら伝達されるように構成される。
【００５０】
本実施例において光分配モジュール５００は、上述したように円筒型カバーの内部に備えられ、円筒型カバーがケース３００の内部に配置される。そして、一側が入光レンズモジュール２００と接するように配置され、他側が色差計モジュール４００と接するように配置される。
【００５１】
具体的には、光分配モジュール５００は、図５に図示されたように、複数個の光繊維(５１０：図５参照)を含んで構成されており、上記光繊維５１０は上記入光レンズモジュール２００を通じて入光された光を上記光繊維５１０へ伝達するための光伝達部(５２０：図５参照)が備えられる。
【００５２】
上記光伝達部５２０は、上記入光レンズモジュール２００を通じて入射された光を受光して上記複数個の光繊維５１０へ伝達する。ここで、上記光伝達部５２０は、一般的に上記入光レンズモジュール２００より小さく形成されるため、上記入光レンズモジュール２００から伝達される光を全て受光するために上記入光レンズモジュール２００は入光される光を屈折させて上記光伝達部５２０へ伝達する。
【００５３】
上記光繊維５１０は、複数個から構成され、相互に同じ方向に配置され、一側が互いに密集して配置されて上記光伝達部５２０と繋がり、上記光伝達部５２０を通じて入光された上記光繊維５１０へ伝達する。そして、複数個の上記光繊維５１０の他側は大きく三つの群に分けられ、それぞれの群は同一の大きさ及び個数の光繊維５１０からなって、後述する色差計モジュール４００へ伝達される。
【００５４】
本実施例において、上記複数個の光繊維５１０は、全て同一な大きさで構成され、他側が三つの群に分けられ、それぞれの群が全て同一な個数からなる。
【００５５】
そして、光繊維５１０が全て同一な大きさからなることで、他側が三つの群に分けられても同一な個数を維持し、それぞれの上記色差計モジュール４００へ伝達される光が同一な波長と強さを持つことができる。しかし、特にこのような形態に限定されるものではない。上記光繊維５１０がそれぞれ異なる大きさを持っても、上記色差計モジュール４００のそれぞれに全て同一な波長及び強さの光を伝達するように構成されれば、どんな形態に構成されても適用することができる。
【００５６】
このように、上記光分配モジュール５００は、上記入光レンズモジュール２００と上記色差計モジュール４００の間で、入光された光を均等に上記色差計モジュール４００のそれぞれに伝達する。
【００５７】
一方、上記光分配モジュール５００が上記光繊維５１０を使うことで消失する光を減らすだけでなく、柔軟に曲げることができる特徴を有するので、上記色差計モジュール４００と上記光分配モジュール５００が一直線上に配置されなくても良く、空間の活用度を増加することができる。
【００５８】
上記色差計モジュール４００は、上記入光レンズモジュール２００から入射された光を感知して該当波長の光の色相を測定するものであって、メイン感知ユニット４１０、サブ感知ユニット４２０、漏洩測定ユニット４４０、及び上記制御ユニット(未図示)を含む。
【００５９】
具体的には、メイン感知ユニット４１０は、入光レンズモジュール２００を通じて入射された光を伝達されて色相を感知する構成であって、少なくとも一つ以上の光感知部４１２を備え、光感知部４１２及び光感知部４１２で光の感知によって発生された第１電流Ａを測定する第１測定部４１４を含む。
【００６０】
具体的には、光感知部４１２は、ケース３００の内部で、入光レンズモジュール２００から入射される光を伝達され、色相によって電流を発生させる。
【００６１】
本実施例において、上記光感知部４１２は、光を受光して電気的信号に変換する一種のセンサーとしてフォトダイオードが使われ、入光レンズモジュール２００を通じて入射された光を受光して、受光された光を電気的信号に変換する。このように受信された電気的信号は、別途の外部装置によって受信された光の色相を測定するために利用される。
【００６２】
第１測定部４１４は、光感知部４１２で光を感知して発生された第１電流Ａを測定する構成であって、これを通じて光感知部４１２へ入射された光の波長を測定することができる。
【００６３】
本実施例において、光感知部４１２に入射された光によって発生された第１電流Ａを感知して測定する構成である。また、追加的に図６に図示されたように、第１測定部４１４は、第１電流Ａを増幅する増幅回路４１４ａ及びＡＤＣをさらに含むこともできる。
【００６４】
このように本発明によるメイン感知ユニット４１０は、光感知部４１２及び第１測定部４１４を含んで入光レンズモジュール２００から入射された光によって第１電流Ａを測定する。
【００６５】
本実施例において、メイン感知ユニット４１０は、図示されたように三つの光感知部４１２を含んでおり、それぞれは相互に異なる波長の光を感知するように構成される。
【００６６】
また、第１測定部４１４も光感知部４１２と共に、三つにそれぞれ独立的に構成される。これによって、上述した光分配モジュール５００によって分割された光がそれぞれの光感知部４１２へ伝達され、発生されたそれぞれの第１電流Ａを第１測定部４１４が測定する。
【００６７】
一方、サブ感知ユニット４２０は、メイン感知ユニット４１０と接するように配置され、光を遮断して暗い状態で感知される信号によって発生される第２電流Ａｄを測定する。ここで、サブ感知ユニット４２０は、上述したメイン感知ユニット４１０と同一な形態のダーク感知部４２２を含み、入光レンズモジュール２００から入射される光を完全に遮断した暗い状態で、ダーク感知部４２２で発生された第２電流Ａｄを測定する。
【００６８】
具体的には、サブ感知ユニット４２０は、暗い状態で電流を発生させるダーク感知部４２２、及びダーク感知部４２２で発生された第２電流Ａｄを測定する第２測定部４２４を含む。
【００６９】
ダーク感知部４２２は、上述したように光感知部４１２と同一な形態で構成されることができ、光感知部４１２と接するように配置されて同一な外部条件が適用されるように構成される。また、ダーク感知部４２２は、外部条件の変化によって第２電流Ａｄを発生させる。
【００７０】
第２測定部４２４は、上述した第１測定部４１４と同一に構成され、ダーク感知部４２２で発生された電流を測定するように構成される。
【００７１】
ここで、第２測定部４２４も上述した第１測定部４１４と同様、追加的な増幅回路４２４ａとＡＤＣをさらに含むことができる。
【００７２】
このように、サブ感知ユニット４２０は、ダーク感知部４２２と第２測定部４２４を含み、メイン感知ユニット４１０と同一な条件で発生される第２電流Ａｄを測定する。
【００７３】
本実施例において、サブ感知ユニット４２０は、メイン感知ユニット４１０と実質的に同一な構成を持つように構成され、光がダーク感知部４２２に入射されずに暗い状態で第２電流Ａｄが発生されるように構成される。
【００７４】
一方、漏洩測定ユニット４４０は、第２測定部４２４に備えられ、第２測定部４２４で漏洩される漏洩電流を測定する構成である。
【００７５】
具体的に、漏洩測定ユニット４４０は、第２測定部４２４に備えられて既設定された設定電流Ｄｃが充電される充電部４４２を含み、充電部４４２から漏洩される第３電流ＤΔを測定する。
【００７６】
この時、充電部４４２は、メイン感知ユニット４１０が光を受けて電流が発生される時間の変化によって、充電された電流が減少し、第３電流ＤΔが漏洩される。
【００７７】
すなわち、充電部４４２は、メイン感知ユニット４１０で第１電流Ａが発生される間に充電された設定電流Ｄｃが減少するように構成され、減少された電流が第３電流ＤΔを測定する。
【００７８】
ここで、第３電流ＤΔは、充電部４４２に最初充電される設定電流Ｄｃと、後に充電部４４２に残留する残留電流Ｄｄの差を測定して測定されることができ、具体的な第３電流ＤΔを測定する過程については図９を参照して後述する。
【００７９】
本実施例において、漏洩測定ユニット４４０は、上述した第２測定部４２４だけでなく、第１測定部４１４に独立的に備えられ、メイン感知ユニット４１０とサブ感知ユニット４２０が全て同一な条件で構成されるようにする。
【００８０】
一方、上記制御ユニットは、図面に図示されてはいないが、サブ感知ユニット４２０で測定された第２電流Ａｄと、漏洩測定ユニット４４０で測定された第３電流ＤΔを反映して、上記メイン感知ユニット４１０で測定された第１電流Ａを補正する。
【００８１】
具体的には、上記制御ユニットは、メイン感知ユニット４１０で露光時間の間に測定された第１電流Ａの正確度を向上するために、光を感知しない状態で測定される第２電流Ａｄと、露光時間の間に漏洩測定ユニット４４０で測定された第３電流ＤΔを利用して補正することで、正確な第１電流Ａの数値を測定することができる。上記制御ユニットの具体的機能については図１０を参照して後述する。
【００８２】
このように、本発明による色差計モジュール４００は、メイン感知ユニット４１０、サブ感知ユニット４２０、漏洩測定ユニット４４０、及び上記制御ユニットを含み、メイン感知ユニット４１０で測定された第１電流Ａ、サブ感知ユニット４２０で測定された第２電流Ａｄ、及び漏洩測定ユニット４４０で測定された第３電流ＤΔをそれぞれ測定し、上記制御ユニットを利用して第１電流Ａを補正することで、メイン感知ユニット４１０で測定された光の色相を正確に測定することができる。
【００８３】
一方、本発明による色差計モジュール４００は、上記メイン感知ユニット４１０の前方に備えられ、それぞれの上記光感知部４１２に入射される光が相互に異なる波長を持つようにする別途のフィルタリングユニット４３０をさらに含む。
【００８４】
フィルタリングユニット４３０は、上記メイン感知ユニット４１０の前方に配置され、上記メイン感知ユニット４１０と連通されて入射される光を上記メイン感知ユニット４１０へ伝達する連通口４３２ａを含むコネクター、及び上記連通口４３２ａの内部に備えられて入射される光の中で特定波長の光だけを透過させるカラーフィルター４３４を含む。
【００８５】
具体的には、フィルタリングユニット４３０は、上述したメイン感知ユニット４１０にそれぞれ備えられた光感知部４１２に入射される光が相互に異なる波長を持つようにする別途のカラーフィルター４３４を持ち、本発明で上記フィルタリングユニット４３０はメイン感知ユニット４１０の前方に配置され、光伝達部５２０から分割して伝達される光が上述したメイン感知ユニット４１０へ伝達されるようにする。
【００８６】
本実施例において、フィルタリングユニット４３０は、ケース３００の内部で光分配モジュール５００とメイン感知ユニット４１０の間に配置され、大きくコネクター４３２及び上記カラーフィルター４３４から構成される。
【００８７】
上記コネクター４３２は、カバー形状を持ち、前後方に連通された連通口４３２ａが備えられ、連通口４３２ａの内部に上記カラーフィルター４３４が備えられる。
【００８８】
具体的には、コネクター４３２は、円形のカバー状に形成され、上記光感知部４１２の個数に対応する個数を持ち、メイン感知ユニット４１０と連通される連通口４３２ａが形成される。本実施例において、連通口４３２ａは、三つ形成され、三つそれぞれにカラーフィルター４３４が備えられ、相互に異なる波長の光を透過させるように構成される。
【００８９】
ここで、上記連通口４３２ａは、前後方へ連通されるように構成され、一側が三つの光感知部４１２が位置した地点と向かい合ってそれぞれの位置に対応するように配置され、他側が三つの群に分けられた光繊維５１０のそれぞれが結合されるように構成される。
【００９０】
これによって、光分配モジュール５００によって分割された光は、コネクター４３２を経由し、内部に備えられたカラーフィルター４３４によって特定波長の光だけ透過するようになり、透過された光は光感知部４１２へ伝達されて第１電流Ａを発生させるようにする。
【００９１】
ここで、コネクター４３２は、連通口４３２ａが後述するサブ感知ユニット４２０の位置とは連通されないように配置され、コネクター４３２自体が光を遮断する遮断壁の役割をするように構成される。
【００９２】
すなわち、コネクター４３２によって光分配モジュール５００で分配されたそれぞれの光は、三つの光感知部４１２へ伝達され、サブ感知ユニット４２０には伝達されないように構成される。
【００９３】
しかし、これと違って、カラーフィルター４３４がコネクター４３２の内部に備えられず、直接、光感知部４１２の前方に配置されることもできる。
【００９４】
一方、本発明による上記カラーフィルター４３４は、上記入光レンズモジュール２００から伝達される光を受光して特定波長の光だけを透過させる。この時、上記カラーフィルター４３４として、多様な種類及び構造のフィルターが使われることができ、本実施例では干渉フィルターが使用される。
【００９５】
干渉フィルターは、薄い膜の上で起きる干渉現象を利用して特定波長の波動を取り除くフィルターを言う。望む波動を得る方式とフィルター材質の種類によって幾つかの種類に分けられる。
【００９６】
一般的に、上記色差計モジュール４００は国際照明委員会(CIE：Commission International de I`Eclairage)で規定する標準観測者による三刺激値を利用して色を測定する。
【００９７】
三刺激値とは、人間の目で相互に異なる波長の光を感知する三つの円錐細胞を通じて認識する光の色相について表した値であって、光を表現する基準となる値である。
【００９８】
そのため、それぞれの三刺激値に対して正確に測定するために、三刺激値であるＸ、Ｙ、Ｚの三つの領域の光にそれぞれ分離して上記光感知部４１２によって発生された第１電流Ａを通じて色相を測定する。
【００９９】
このように、三刺激値のそれぞれに対する光の色相を測定するために、上記カラーフィルター４３４の各々は、三刺激値のそれぞれに対して相互に異なる波長の光のみを透過させるように構成される。
【０１００】
このように上記色差計モジュール４００は、上記ケース３００の内部に備えられ、上記入光レンズモジュール２００を通じて入射された光の中で、特定波長の光に対する電気的信号を感知し、これを通じて上記外部装置が色相を感知できるようにする。
【０１０１】
このように構成された上記色相計測器１００は、ケース３００の内部に光分配モジュール５００及び上記色差計モジュール４００が連続的に配置されて構成される。
【０１０２】
一方、このように構成された上記色相計測器１００は、図２に図示されたように上記測定対象物Ｄの一側で光が出射される領域に上記入光レンズモジュール２００が位置するように配置され、上記色相計測器１００の内部に光が入射されるようにする。ここで、図示されたように、上記色相計測器１００は、特定位置に装着されて使用できるが、特に装着しないで別途に携帯して、望む位置で使用できるように構成することができる。
【０１０３】
このように、本発明による色相計測器１００は、メイン感知ユニット４１０、サブ感知ユニット４２０、及び漏洩測定ユニット４４０でそれぞれ測定された第１電流Ａないし第３電流ＤΔを利用して入射された光の色相を測定することができる。
【０１０４】
一方、より具体的に本実施例による、色相計測器１００で光の色相を感知する状態を見ると、図５に図示されたように、光が入光レンズモジュール２００を通じて入射される。入射された光は光伝達部５２０を通じて分配され、三つに分割された光繊維５１０のそれぞれに伝達される。
【０１０５】
光分配モジュール５００によって分配された光のそれぞれは、コネクター４３２に形成された連通口４３２ａを通じて移動し、カラーフィルター４３４によってそれぞれ異なる波長の光を透過させる。
【０１０６】
このように、それぞれの連通口４３２ａを通過しながらフィルタリングされた光は、連通口４３２ａのそれぞれに繋がった光感知部４１２に入射され、光感知部４１２のそれぞれは、入射された光に該当する第１電流Ａを発生させ、第１電流Ａが第１測定部４１４によって測定され、上記制御ユニットへ伝達される。
【０１０７】
一方、これと共に、サブ感知ユニット４２０は、入射される光はないが、光感知部４１２が露光時間の間に光を感知する時、暗い状態でダーク感知部４２２で発生される第２電流Ａｄを第２測定部４２４で測定し、上記制御ユニットへ伝送する。
【０１０８】
メイン感知ユニット４１０及びサブ感知ユニット４２０が第１電流Ａ及び第２電流Ａｄを測定する時、漏洩測定ユニット４４０は、露光時間の間、第２測定部４２４から漏洩される第３電流ＤΔを測定し、上記制御ユニットへ伝送する。
【０１０９】
このように測定された第１電流Ａないし第３電流ＤΔを伝送された上記制御ユニットは、第２電流Ａｄ及び第３電流ＤΔを利用して第１電流Ａを補正する。
【０１１０】
具体的には、第１電流Ａは、メイン感知ユニット４１０から入射されて感知された光の色相によって発生される電流を測定した値であって、単に入射された光だけでなく、温度や湿度などの外部環境要因によって変化された値も共に含んでいる。
【０１１１】
第２電流Ａｄは、暗い状態のサブ感知ユニット４２０で温度や湿度など外部環境要因の変化によってダーク感知部４２２で発生された電流を測定した値である。
【０１１２】
このように、それぞれ測定された第１電流Ａ及び第２電流Ａｄを利用して、上記制御ユニットが第１電流Ａを補正して上記外部装置へ伝達することで、正確な色相を測定することができる。
【０１１３】
特に、光感知部４１２は、温度や湿度変化によって感知される値の誤差が大きいため、メイン感知ユニット４１０で測定された第１電流Ａは、信頼性が弱い状態である。これによって、上記制御ユニットは、第２電流Ａｄだけ第１電流Ａを補正することで、第１電流Ａの測定値に対する信頼性を確保する。
【０１１４】
それだけでなく、本発明では、色差計モジュール４００が漏洩測定ユニット４４０を備えてサブ感知ユニット４２０で外部環境要因によって漏洩される第３電流ＤΔを測定し、これを上記制御ユニットに伝送することで、上記制御ユニットは、第１電流Ａの補正時に第２電流Ａｄだけでなく第３電流ＤΔまで一緒に利用して第１電流Ａを補正する。
【０１１５】
すなわち、本発明による色相計測器１００は、上記制御ユニットで第２電流Ａｄと第３電流ＤΔを全て利用してメイン感知ユニット４１０に入射された光によって発生された第１電流Ａを補正することで、露光時間の間、色差計モジュール４００に入射された光によって発生された実際の電流値を正確に測定し、入射された光の色相を測定することができる。
【０１１６】
実際に、温度や湿度などによる外部環境要因の変化によって、メイン感知ユニット４１０とサブ感知ユニット４２０の構成によって露光時間の間に漏洩される第３電流ＤΔの変化量が、光感知部４１２やダーク感知部４２２で発生される第１電流Ａと第２電流Ａｄの変化量より相対的に大きい。
【０１１７】
これによって、第１電流Ａは、上記制御ユニットによってサブ感知ユニット４２０で感知された第２電流Ａｄだけでなく、漏洩測定ユニット４４０で感知された第３電流ＤΔを共に利用して補正されることで、より正確な第１電流Ａの測定値を分かることができ、これによってメイン感知ユニット４１０に入射された光の色相をより精密に測定することができる。
【０１１８】
次に、図７及び図８を参照して、上述したように外部環境要因によってメイン感知ユニット４１０及びサブ感知ユニット４２０から漏洩される漏洩電流が変化する状態について見ると、次の通りである。
【０１１９】
図７は図６のメイン感知ユニット４１０で感知された刺激値が外部要因の変化によって発生される漏洩電流によって変化する状態を示したグラフであり、図８は図７の実験のために時間による外部条件の変化を示したグラフである。
【０１２０】
図示された図面を見ると、温度及び湿度の変化によって測定される第１電流Ａの変化量をテストして示したグラフであって、同一な色相の光を色相計測器１００で測定し、測定される第１電流Ａを通じて三刺激値のＸ、Ｙ、Ｚを導出したグラフである。
【０１２１】
この時、第１電流Ａは、本実施例で上述したように、フィルタリングユニット４３０によって相互に異なる波長の光が三つのメイン感知ユニット４１０に入射されるようにして発生された電流である。
【０１２２】
テストの条件は次の通りであり、湿度と温度が変化することによって、導出されたＸ、Ｙ、Ｚの三刺激値が変化したことが分かる。ここで、三刺激値は、メイン感知ユニット４１０で測定された第１電流Ａを用いて導出された電圧を利用して示した値である。
【０１２３】
温度範囲：２０〜５０度
湿度範囲：０〜７０％
テスト所要時間：１６０分
露光時間：２００ｍｓ
Ｘ、Ｙ、Ｚの電圧単位：ｍＶ
【０１２４】
より具体的に見ると、図７のグラフに図示されたように、メイン感知ユニット４１０で発生された第１電流Ａの量が時間によって変化することが分かる。これは、図８に図示されたように、メイン感知ユニット４１０の温度条件及び湿度条件の変化を反映して測定したものであり、メイン感知ユニット４１０の温度及び湿度が上昇することにつれ、漏洩される漏洩電流の量が増加することになり、これによって測定される第１電流Ａが変化して三刺激値の電圧が変化したことが分かる。
【０１２５】
特に、メイン感知ユニット４１０の温度が約５０度の場合と約２５度の場合での三刺激値を比べてみると、メイン感知ユニット４１０の温度が２５度の場合に比べて５０度の場合に約２ｍＶ以上の電圧差が発生することが分かる。
【０１２６】
これは単に光感知部４１２が外部環境要因の変化によって測定された第１電流Ａが変化する程度では表れない差であり、メイン感知ユニット４１０で漏洩電流が発生して測定される第１電流Ａが変化したものである。
【０１２７】
すなわち、メイン感知ユニット４１０は、一般的フォトダイオードの形態の光感知部４１２で外部環境要因によって発生される第１電流Ａが変化しただけでなく、これと共に備えられる増幅回路４１４ａなどで漏洩電流が発生し、これによって漏洩された漏洩電流の変化によって第１測定部４１４で測定された第１電流Ａが変化したことを含む。
【０１２８】
また、充電部４４２から漏洩される第３電流ＤΔが外部環境要因の変化によって大幅に変化し、これによって第１測定部４１４で測定された第１電流Ａが大幅に変化するようになる。
【０１２９】
このように、光感知部４１２に光が入射されてメイン感知ユニット４１０で測定される第１電流Ａは、外部環境要因の変化によって測定される第１電流Ａの値が変化するようになり、光感知部４１２自体が外部環境要因の変化によって第１電流Ａに及ぶ影響よりは、漏洩電流が外部環境要因によって変化して第１電流Ａに及ぶ影響の方がより大きい。
【０１３０】
それだけでなく、充電部４４２から漏洩される第３電流ＤΔ自体が外部環境要因の変化によって大きく変化し、メイン感知ユニット４１０で測定される第１電流Ａの測定値に大きな影響を及ぼすことになる。
【０１３１】
すなわち、単にメイン感知ユニット４１０で測定された第１電流Ａにサブ感知ユニット４２０で測定された第２電流Ａｄを補正して正確な第１電流Ａを導出することより、メイン感知ユニット４１０で測定された第１電流Ａに、漏洩測定ユニット４４０で測定された第３電流ＤΔを一緒に補正して第１電流Ａを導出することがより正確である。
【０１３２】
これによって、本発明の色相計測器１００は、別途の漏洩測定ユニット４４０を備えて露光時間の間に漏洩される第３電流ＤΔを測定し、第２電流Ａｄと共に第１電流Ａを補正することで、より正確な第１電流Ａの測定値を導出することができる。
【０１３３】
次に、図９を参照して、本発明による漏洩測定ユニット４４０で漏洩電流を測定する過程について見ると、次の通りである。
【０１３４】
図９は、図６の漏洩測定ユニット４４０で漏洩電流を測定する過程を示したフローチャートである。
【０１３５】
先ず、図６に図示されたそれぞれのメイン感知ユニット４１０と、サブ感知ユニット４２０に備えられた充電部４４２に既設定された設定電流Ｄｃが充電される充電過程Ｓ１０を経る。
【０１３６】
充電過程Ｓ１０によって充電部４４２に設定電流Ｄｃが充電された漏洩測定ユニット４４０は、入光レンズから光を伝達されて第１測定部４１４で第１電流Ａを測定する間に充電部４４２に充電された設定電流Ｄｃから第３電流ＤΔが漏洩される第１過程Ｓ２０を経る。
【０１３７】
この時、本発明による充電部４４２は、メイン感知ユニット４１０で光を測定しない状態で既設定された設定電流Ｄｃが充電された状態で維持される。
【０１３８】
そして、光感知部４１２へ光が入射されて第１測定部４１４で第１電流Ａを測定する間に充電部４４２に充電された設定電流Ｄｃから一部の電流が漏洩される。
【０１３９】
第１過程Ｓ２０が終わった後、充電部４４２に残っている残留電流Ｄｄが全て除去される第２過程Ｓ３０を経る。ここで、残留電流Ｄｄは、充電部４４２に充電された設定電流Ｄｃから第３電流ＤΔが漏洩されて充電部４４２に残っている量を示す。
【０１４０】
すなわち、第１過程Ｓ２０は、メイン感知ユニット４１０へ光が入射される露光時間の間に発生する過程であり、第２過程Ｓ３０及び充電過程Ｓ１０は、メイン感知ユニット４１０が第１電流Ａの測定が終わった後に発生する過程である。
【０１４１】
そして、第２過程Ｓ３０で除去されて測定された残留電流Ｄｄと、初期充電部４４２に充電された設定電流Ｄｃを比べて第３電流ＤΔを導出する導出過程Ｓ４０を経ることになる。
【０１４２】
具体的には、導出過程Ｓ４０の一例として、下記計算式１によって第３電流ＤΔを導出することができる。
【０１４３】
［計算式１］
ＤΔ＝Ｄｃ−Ｄｄ
(ＤΔ＝第３電流、Ｄｃ＝設定電流、Ｄｄ＝残留電流)
【０１４４】
このような過程を通じて、メイン感知ユニット４１０で入射される光を測定する露光時間の間、漏洩される第３電流ＤΔを測定することができる。
【０１４５】
次に、図１０ないし図１２を参照して、本発明による色差計モジュール４００で測定される第１電流Ａないし第３電流ＤΔを利用して補正された第１電流Ａ`を導出する状態について見ると、次の通りである。
【０１４６】
図１０は図６のメイン感知ユニット４１０に光が入射されて検出された刺激値を補正する過程を示したフローチャートであり、図１１は図２の色差計モジュール４００でメイン感知ユニット４１０、サブ感知ユニット４２０、及び漏洩測定ユニット４４０のそれぞれで感知された電流によって発生された刺激値を示したグラフであり、図１２は図１１の感知された信号を上記制御ユニットで補正して示した三刺激値のグラフである。
【０１４７】
先ず、色差計モジュール４００で光の色相を測定する時、光感知部４１２へ光が入射されて発生される第１電流Ａを第１測定部４１４で測定する（Ｓ１００）。
【０１４８】
これと同時に外部環境要因によってダーク感知部４２２で発生される第２電流Ａｄを第２測定部４２４で測定する（Ｓ１１０）。
【０１４９】
また、漏洩測定ユニット４４０が露光時間の間、充電部４４２から漏洩される第３電流ＤΔを測定する（Ｓ１２０）。
【０１５０】
このように第１電流Ａないし第３電流ＤΔをそれぞれ独立的に測定し、測定された第１電流Ａないし第３電流ＤΔの情報は上記制御ユニットへ伝達される。
【０１５１】
以後、上記制御ユニットは、第１電流Ａに第２電流Ａｄ及び第３電流ＤΔを補正し、補正された第１電流Ａ`を導出する（Ｓ１３０）。ここで、補正された第１電流Ａ`は、第１測定部４１４で測定された第１電流Ａに、外部環境要因によって発生された第２電流Ａｄの値と、増幅回路４１４ａなどのような構成によって漏洩された第３電流ＤΔの値を適用して補正する。
【０１５２】
このように、上記制御ユニットによって補正された第１電流Ａ`を通じて光感知部４１２に入射された光の色相を検出する（Ｓ１４０）。
【０１５３】
より詳細に見ると、図１１の（ａ）はメイン感知ユニット４１０で測定された第１電流Ａを利用して三刺激値を示したものであり、図１１の（ｂ）はサブ感知ユニット４２０で測定された第２電流Ａｄの値を示したものである。
【０１５４】
図１１の（ｃ）は、漏洩測定ユニット４４０で測定された第３電流ＤΔの値を示したものである。
【０１５５】
図１１の（ｂ）を見ると、初期入力された零点の基準値よりＬ１程度高い数値の第２電流Ａｄが検出されたことが分かる。理論上、暗い状態で入力される値を測定した第２電流Ａｄは、初期入力された基準値と同一でなければならないが、これと違い、外部環境要因によってサブ感知ユニット４２０で感知される変化数値を含んで第２電流Ａｄが検出される。
【０１５６】
図１１の（ｂ）を見ると、メイン感知ユニット４１０またはサブ感知ユニット４２０から漏洩された第３電流ＤΔの量を示したものであり、零点よりＬ２程度高い数値の第３電流ＤΔが検出されたことが分かる。もし、漏洩電流が発生しない場合には、第３電流ＤΔが０になって感知されないが、増幅回路４１４ａなどのような構造的特徴上、漏洩電流が発生して第３電流ＤΔが検出され、これは外部環境要因に敏感に変化するようになる。
【０１５７】
ここで、メイン感知ユニット４１０とサブ感知ユニット４２０及び漏洩測定ユニット４４０は同一な外部環境要因の影響を受けるように構成されているので、これは既に第１測定部４１４で測定された第１電流Ａの値に外部環境要因によって変化された数値を含むことを意味する。
【０１５８】
これによって、上記制御ユニットは、第１測定部４１４で測定された第１電流Ａに第２測定部４２４で測定された第２電流ＡｄのＬ１値、及び漏洩測定ユニット４４０で測定された第３電流ＤΔのＬ２値を反映して、補正された第１電流Ａ`を導出する。
【０１５９】
上記制御ユニットで補正された第１電流Ａ`を導出する一例として、計算式２が適用されることができる。
【０１６０】
［計算式２］
Ａ`＝Ａ−Ａｄ−ＤΔ
(Ａ`＝補正された第１電流、Ａ＝第１電流、Ａｄ＝第２電流、ＤΔ＝第３電流)
【０１６１】
このような過程を経て、補正された第１電流Ａ`を導出することで、メイン感知ユニット４１０に入射された光の色相を正確に検出することができる。
【０１６２】
このように、上記制御ユニットが第１電流Ａないし第３電流ＤΔを利用して補正された第１電流Ａ`を導出することで、図１２に図示されたように純粋に入光レンズモジュール２００から入射された光の色相を正確に測定することができる。
【０１６３】
本発明による色差計モジュール４００が備えられることによって、別途の零点調節過程を経なくても、感知される第１電流Ａと第２電流Ａｄ及び第３電流ＤΔの相対的比較を通じて正確な色相を計測することができる。
【０１６４】
特に、従来においては別途の零点調節を行った後、色相を計測して零点調節時点と色相計測時点の時間差が発生し、これによって計測される色相の正確度が減少したが、本発明においては別途に零点調節をせずに、メイン感知ユニット４１０とサブ感知ユニット４２０が同時に第１電流Ａと第２電流Ａｄを測定し、これと共に漏洩測定ユニット４４０が第３電流ＤΔを測定するので、時間差によって検出される値が変化しないため、計測される色相の正確度及び信頼性が増加する。
【０１６５】
以上のように、本発明による好ましい実施例を見たが、先に説明した実施例の他にも本発明の趣旨や範疇から脱することなく他の形態に具体化されることができる。よって、本実施例は特定の形態に制限的なものではなく、例示的なものとして認められるべきであり、これによって本発明は、上述の説明に限定されず、添付の請求項の範疇及びそれと同等な範囲内で変更されることもある。
【符号の説明】
【０１６６】
１００：色相計測器
２００：入光レンズモジュール
３００：ケース
４００：色差計モジュール
４１０：メイン感知ユニット
４２０：サブ感知ユニット
４３０：フィルタリングユニット
４４０：漏洩測定ユニット
５００：光分配モジュール
【図１】
2016515217.tif 000003
【図２】
2016515217.tif 000004
【図３】
2016515217.tif 000005
【図４】
2016515217.tif 000006
【図５】
2016515217.tif 000007
【図６】
2016515217.tif 000008
【図７】
2016515217.tif 000009
【図８】
2016515217.tif 000010
【図９】
2016515217.tif 000011
【図１０】
2016515217.tif 000012
【図１１（ａ）】
2016515217.tif 000013
【図１１（ｂ）】
2016515217.tif 000014
【図１１（ｃ）】
2016515217.tif 000015
【図１２】
2016515217.tif 000016
【国際調査報告】
2016515217.tif 000017
2016515217.tif 000018
2016515217.tif 000019
2016515217.tif 000020